(57)【特許請求の範囲】
【請求項１】
２つのブリスタ部分(１１、１２)を包含する少なくとも１つのブリスタ組立体(１０)を包含し、各ブリスタ部分が、一組のブリスタ(１６)を有し、ブリスタ(１６)を形成したベース・フォイルをほぼ平らな蓋フォイルに連結するタイプのものであり、ブリスタ部分(１１、１２)が相互に連結してあり、互いに向かって折り込むことができ、一方のブリスタ部分(１１)のブリスタ(１６)が、折り畳み後、２つのブリスタ部分(１１、１２)のブリスタ(１６)が互いの間に係合するように、他方のブリスタ(１２)のブリスタ(１６)に対してオフセットしているブリスタ・パックであって、
２つの閉鎖パネル(２１、２２)と好ましくは１つの中間パネル(２３)とを包含する保護ユニット(２０)であり、中間パネルが２つの折り線(２４、２５)によって画定されており、前記折り線(２４、２５)に沿って折り畳み可能である保護ユニット(２０)を包含するブリスタ・パックにおいて、
少なくとも１つのベース・パネル(３１)を包含し、このベース・パネルが少なくとも１つの孔(３３)を有し、前記ブリスタ組立体(１０)に連結してあり、少なくとも１つのブリスタ部分(１１)のブリスタ(１６)が前記少なくとも１つの孔(３３)と整合するようになっている支持ユニット(３０)を包含し、
前記保護ユニット(２０)がタブ(２６；２６′)を包含し、このタブが少なくとも１つの折り線(２７；２７′)を経て１つの閉鎖パネル(２１)に連結しており、そして
前記支持ユニット(３０)が前記タブ(２６；２６′)に固定してあり、閉鎖パネル(２１、２２)がブリスタ組立体(１０)および保護ユニット(２０)の折り畳み後に前記蓋フォイルを覆うようになっている
ことを特徴とするブリスタ・パック。
【請求項２】
前記支持ユニット(３０)が各々少なくとも１つ孔(３３)を有する２つのベース・パネル(３１、３２)とそれの間にあり、２つの折り線(３５、３６)によって画定されている連結パネル(３４)とを包含し、前記支持ユニット(３０)が前記折り線(３５、３６)に沿って折り畳み可能であり、ブリスタ組立体(１０)が、ブリスタ(１６)が前記少なくとも１つの孔(３３)と整合するように、前記支持ユニット(３０)に連結している、請求項１に記載のブリスタ・パック。
【請求項３】
前記連結パネル(３４)が前記タブ(２６)に固定している、請求項２に記載のブリスタ・パック。
【請求項４】
前記支持ユニット(３０)が１つだけのベース・パネル(３１)を包含し、ブリスタ組立体(１０)の１つのブリスタ部分(１１)が前記ベース・パネル(３１)に接合している、請求項１に記載のブリスタ・パック。
【請求項５】
前記ブリスタ組立体(１０)が、中間部分(１３)を包含し、この中間部分にブリスタ(１６)がなく、中間部分が前記ブリスタ部分(１１、１２)間に設置してあり、２つの折り線(１４、１５)によって画定されており、前記組立体(１０)が前記折り線(１４、１５)に沿って折り畳み可能である、請求項１〜４のいずれか１項に記載のブリスタ・パック。
【請求項６】
ブリスタ部分(１１、１２)の蓋フォイルが支持ユニット(３０)に面している、請求項１〜５のいずれか１項に記載のブリスタ・パック。
【請求項７】
支持ユニット(３０)が保護ユニット(２０)と一体に形成してある、請求項１〜６のいずれか１項に記載のブリスタ・パック。
【請求項８】
支持ユニット(３０)および保護ユニット(２０)が２つの別体の、相互に連結した部分である、請求項１〜６項のいずれか１項に記載のブリスタ・パック。
【請求項９】
保護ユニット(２０)の折り線(２４、２５、２７；２７′、２８′)が支持ユニット(３０)の折り線(３５、３６)と平行である、請求項１〜８のいずれか１項に記載のブリスタ・パック。
【請求項１０】
支持ユニット(３０)が板紙で作ってある、請求項１〜９のいずれか１項に記載のブリスタ・パック。
【請求項１１】
前記蓋フォイルが破壊しやすい、請求項１〜１０のいずれか１項に記載のブリスタ・パック。
【請求項１２】
保護ユニット(２０)が板紙で作られている、請求項１〜１１のいずれか１項に記載のブリスタ・パック。
【請求項１３】
ブリスタ組立体(１０)がアルミニウムで作られている、請求項１〜１２のいずれか１項に記載のブリスタ・パック。
【請求項１４】
２つのブリスタ部分(１１、１２)を包含する少なくとも１つのブリスタ組立体(１０)を包含し、各ブリスタ部分が、一組のブリスタ(１６)を有し、ブリスタ(１６)を形成したベース・フォイルをほぼ平らな蓋フォイルに連結するタイプのものであり、ブリスタ部分(１１、１２)が相互に連結しており、互いに向かって折り込むことができ、一方のブリスタ部分(１１)のブリスタ(１６)が、折り畳み後、２つのブリスタ部分(１１、１２)のブリスタが互いの間に係合するように、他方のブリスタ(１２)のブリスタ(１６)に対してオフセットしているブリスタ・パックであって、
２つの閉鎖パネル(２１、２２)と好ましくは１つの中間パネル(２３)とを包含する保護ユニット(２０)であり、中間パネルが２つの折り線(２４、２５)によって画定されており、前記折り線(２４、２５)に沿って折り畳み可能である保護ユニット(２０)を包含するブリスタ・パックにおいて、
少なくとも１つの孔(３３)を有する１つのベース・パネル(３１)を包含する支持ユニット(３０)が設けてあり、
ブリスタ組立体(１０)の１つのブリスタ部分(１１)が前記ベース・パネル(３１)に接合しており、前記ブリスタ部分(１１)のブリスタ(１６)が前記少なくとも１つの孔(３３)と整合するようにしてあり、
保護ユニット(２０)が支持ユニット(３０)に固定してあり、閉鎖パネル(２１、２２)が、ブリスタ組立体(１０)および保護ユニット(２０)の折り畳み後、前記蓋フォイルを覆うようにしたことを特徴とするブリスタ・パック。
【請求項１５】
前記保護ユニット(２０)がタブ(２６；２６′)を包含し、このタブが少なくとも１つの折り線(２７；２７′)を経て１つの閉鎖パネル(２１)に連結しており、前記支持ユニット(３０)が前記タブ(２６、２６′)に接合している、請求項１４に記載のブリスタ・パック。
【請求項１６】
前記ブリスタ部分(１１)の蓋フォイルが前記ベース・パネル(３１)に面している、請求項１４または１５に記載のブリスタ・パック。
【請求項１７】
カットアウト部(３６′)がベース・パネル(３１)の角隅１つに形成してあり、ブリスタ組立体(１０)の一部が露出されている、請求項１４、１５または１６に記載のブリスタ・パック。
【請求項１８】
支持ユニット(３０)が保護ユニット(２０)と一体に形成されている、請求項１４〜１７のいずれか１項に記載のブリスタ・パック。
【請求項１９】
支持ユニット(３０)が、１つだけのベース・パネル(３１)を包含する、請求項１４〜１８のいずれか１項に記載のブリスタ・パック。
【請求項２０】
前記ブリスタ組立体(１０)が、ブリスタ(１６)のない中間部分(１３)を包含し、この中間部分が、前記ブリスタ部分(１１、１２)間に設置されており、また、２つの折り線(１４、１５)によって画定されており、前記組体(１０)が前記折り線(１４、１５)に沿って折り畳み可能である、請求項１４〜１９のいずれか１項に記載のブリスタ・パック。
【請求項２１】
請求項１〜２０のいずれか１項に記載のブリスタ・パックを製造する装置であって、少なくとも１つの素材片から保護ユニット(２０)および支持ユニット(３０)を製造し、そこに折り線(２４、２５、２７；２７′、２８′；３５、３６)を設けるための装置と、接着剤を支持ユニット(３０)に塗布する装置と、ブリスタ組立体(１０)を支持ユニット(３０)と整合させ、結合する装置と、折り線(２４、２５、２７；２７′、２８′；３５、３６)に沿ってブリスタ・パックを折り畳む装置とを包含することを特徴とする装置。
【請求項２２】
さらに、ブリスタ・パックの折り畳みの前に支持ユニット(３０)を保護ユニット(２０)と結合する装置を包含する、請求項２１に記載の装置。
【請求項２３】
請求項１〜２０のいずれか１つに記載のブリスタ・パックを製造する方法において、保護ユニット(２０)および支持ユニット(３０)を少なくとも１つの素材片から製造する段階と、前記保護ユニット(２０)および前記支持ユニット(３０)に折り線(２４、２５、２７；２７′、２８′；３５、３６)を設ける段階と、接着剤を支持ユニット(３０)に塗布する段階と、ブリスタ組立体(１０)を支持ユニット(３０)と整合させ、結合させる段階と、折り線(２４、２５、２７；２７′、２８′；３５、３６)に沿ってブリスタ・パックを折り畳む段階とを包含することを特徴とする方法。
【請求項２４】
さらに、ブリスタ・パックを折り畳む前に支持ユニット(３０)を保護ユニット(２０)と結合する段階を包含する、請求項２３に記載の方法。
【請求項２５】
前記ブリスタ・パックが、１つ以上の医薬上活性な薬剤を収容するために使用される、請求項１〜２０のいずれか１項に記載のブリスタ・パック。
【請求項２６】
前記薬剤が、オメプラゾールである、請求項２５に記載のブリスタ・パック。
【請求項２７】
前記薬剤が、オメプラゾールと少なくとも１種の抗生物質である、請求項２５に記載のブリスタ・パック。
【請求項２８】
前記薬剤が、オメプラゾールと、クラリスロマイシン、アモキシシリン、メトロニダゾールおよび／またはチニダゾールである、請求項２７に記載のブリスタ・パック。
【請求項２９】
前記薬剤が、オメプラゾールと、クラリスロマイシンおよび／またはメトロニダゾールである、請求項２８に記載のブリスタ・パック。
【発明の詳細な説明】
本発明は、特に薬剤用の折り畳み可能なブリスタ・パック、このようなブリスタ・パックを製造する装置および方法ならびにブリスタ・パックの使用に関する。
錠剤の形態の薬剤あるいはカプセルに封入された粉末または液体の形態の薬剤のためのブリスタ・パックは、通常、少なくとも１つのブリスタ部分を含む。このブリスタ部分は互いに重なった一組の相互連結フォイルからなる。一方の比較的剛性のあるフォイルは、大抵の場合、ベースと呼ばれており、錠剤またはカプセルを各々収容する空所（いわゆる開いた「ブリスタ」）を包含する。他のフォイルは、平らであり、大抵の場合、蓋と呼ばれており、空所またはブリスタの開口をシールする。
蓋に適した材料の例としては、硬質アルミニウム、軟質アルミニウム、紙、ポリエステル、ポリプロピレンおよびＰＶＣがある。そして、ベースに適した材料の例としては、アルミニウム・ラミネート、ポリプロピレン、ＰＶＣ、PVC／AclarおよびPVC／PVDCがある。これらのフォイルのための基本的な材料として使用できる種々のラミネートも存在する。
ブリスタ・パックは、ポケット、ハンドバッグなどに入れて持ち運ぶときに偶発的に損傷する可能性がある。このような損傷は、特に蓋フォイルが壊れやすい場合にしばしば起こる。したがって、原則として、ブリスタ・パックは、輸送中にブリスタを保護する別体の箱あるいはケース内に積み重ねられている。このパッケージは、通常、ブリスタ・パックの構造の故に、かなりかさばったものである。さらに、ユーザがうっかりケースをなくしたり、投げ捨てさえすることがあるかもしれない。したがって、ケースの存在は、実際に、薬剤を適切に保護することを保証するものではない。
この不都合を除くために、ドイツ国特許出願44 29 503が、折り畳み可能なブリスタ組立体を包含するコンパクトなブリスタ・パックを開示している。このブリスタ組立体は、各々一組のブリスタを有する２つのブリスタ部分と、ブリスタのない中間部分とからなり、この中間部分は、ブリスタ部分の間に位置し、２つの折り線によって構成されている。ブリスタ部分は、前記折り線に沿って互に向かって折り畳み可能である。一方のブリスタ部分のブリスタは、折り畳み後に２つのブリスタ部分のブリスタが互いの間にかみ合うように、他方のブリスタ部分のブリスタに対してオフセットしている。折り畳んだブリスタ組立体の蓋フォイルを保護するために、保護ユニットが設けてあり、この保護ユニットは中間パネルによって相互連結した２つの閉鎖パネルを包含する。中間パネルは２つの折り線によって構成されている。この中間パネルは、ブリスタ組立体の中間部分に接合してあり、折り畳み可能なブリスタ・パックが形成される。閉鎖パネルは、ブリスタ・パックを折り畳んだ後に蓋フォイルを覆う。
このコンパクトなブリスタ・パックの１つの不利な点は、ブリスタ、特に中間部分に隣接する列のブリスタを操作するのに利用できるスペースがほとんどないということである。薬剤を取り出すには、ユーザは一本の指でブリスタの１つを押して蓋フォイルを破らなければならない。スペースがないため、ブリスタ部分が引きはがされて、保護ケースに固定した中間部分から外れる危険がある。このような場合、ブリスタ部分はもはやケースによって保護されず、保護ケースに印刷あるいは貼付した使用説明書も失われることになる。
また、薬剤をこの公知のブリスタ・パックから取り出すとき、ブリスタ部分は曲がったり、くぼんだりする傾向がある。何回か使用した後、曲がったり、くぼんだりしたブリスタがもはや相互に嵌合できないので、ブリスタ・パックを折り畳むことが難しくなったり、あるいは不可能とさえなることがある。
さらに、公知のブリスタ・パックは頻繁に使用すると、ブリスタ・パックを折り畳んだり、広げたりする度にブリスタ組立体の折り線が弱くなるため、ブリスタ部分が突然にケースから分離することもあるかもしれない。この問題は、ブリスタ組立体が薄い材料または可撓性材料あるいはこれら両方の性質の材料から作られているときにより顕著となる。
さらに、公知のブリスタ・パックでは異なる薬剤を組合せることは難しい。このブリスタ・パックは一体片に形成した折り畳み可能なブリスタ組立体を使用しなければならないからである。したがって、異なった薬剤を組合せるには、ブリスタ組立体を製造するときにこれらの薬剤を組合せなければならない。したがって、異なったセットの薬物を公知のブリスタ・パックに使用しようとする場合には、各々特殊な組合わせの薬剤を収容する多種類のブリスタ組立体をストックしておく必要がある。
従来技術としては、GB-B-1 133 947、GB-A-2 266 880、US-A-3 743 084およびUS-A-4 340 141があり、それぞれ、ブリスタ部分を収容する他の形式の折り畳み可能なパッケージを開示している。
本発明の目的は、上記の問題のうち少なくともいくつかを解決あるいは軽減することにある。より詳しくは、本発明によるブリスタ・パックは、コンパクトでなければならず、別体の保護ケースを不要にしなければならない。さらに、ブリスタ・パックは耐久性があり、使用中にブリスタ・パックが偶発的に損傷を受ける危険を最小限に抑えなければならない。また、ブリスタ・パックは、使用説明書を恒久的に保持することができ、好ましくは異なる種類の薬剤の組合せを容易に得ることができなければならない。好ましくは、ブリスタ・パックは、また、使われる材料が簡単にリサイクルできるものでなければならない。
この目的は、請求の範囲に記載のブリスタ・パックによって達成される。
本発明によるブリスタ・パックは、支持ユニットがブリスタ組立体を安定させ、保護するという利点を有する。これは、ブリスタ組立体が薄い材料または可撓性材料あるいはこれら両方の性質の材料から作られているときに特に有利である。さらに、各々が異なった薬剤を担持している別体のブリスタ部分を、支持ユニットに接合することによって結合して折り畳み可能なユニットを形成することができる。それに加えて、支持ユニットを設けることによって、ブリスタ組立体からブリスタ部分が偶発的に分離することを防ぐことができる。
さらに、支持ユニットが保護ユニット上のタブに接合されるので、ブリスタ・パックは、使用説明書を印刷することができ、または、別体のリーフレットを担持することができる大きい連続領域を有する。したがって、薬剤には常に適切な使用説明書が付いていることになる。
以下、添付の図面を参照しながら本発明を詳細に説明する。添付図面において：
図１は、第１の好ましい実施例を示しており、図１ａはブリスタ組立体を示し、図１ｂは支持ユニットを示し、図１ｃは保護ユニットを示し、図１ｄは開いたブリスタ・パックを示し、図１ｅは折り畳んだブリスタ・パックの端面図を示している。
図２は、第２の好ましい実施例を示しており、図２ａはブリスタ組立体を示し、図２ｂは支持ユニットおよび保護ユニットを示しており、図２ｃは開いたブリスタ・パックを示しており、図２ｄは折り畳んだブリスタ・パックの端面図を示している。
図３は第３の好ましい実施例を示しており、図３ａは開いた状態のブリスタ・パックの斜視図であり、図３ｂは図３ａのブリスタ・パックの反対側の斜視図である。
図１ａ〜ｅのブリスタ・パックはブリスタ組立体１０を有する。このブリスタ組立体は第１、第２のブリスタ部分１１、１２からなる。ブリスタ部分１１、１２の間には、２つの平行な長手方向の折り線１４、１５によって構成される中間部分１３が形成されている。その結果、ブリスタ部分１１、１２を前記折り線１４、１５に沿って互いに向かって折り込むことができる。ブリスタ組立体１０は、ブリスタ１６が形成してあるベース・フォイルと、このベース・フォイルに取り付けられた平らな蓋フォイルとからなる。したがって、蓋フォイルは、各々１片の薬剤、たとえば、錠剤あるいはカプセルを収容しているブリスタ１６の開口をシールする。
各ブリスタ部分１１、１２は、ブリスタ１６の２つの平行な列を有し、一方のブリスタ部分１１のブリスタ１６は、ブリスタ部分１１、１２を対面状態に置いたときに、ブリスタ１６が互いの間に係合して単一のブリスタ層を形成するように、他方のブリスタ部分１２のブリスタ１６に対してオフセットしている。この目的のために、ブリスタ１６の高さは、折り線１４、１５間の距離にほぼ対応する。
保護ユニット２０は、第１、第２の閉鎖パネル２１、２２とそれらの間にある中間パネル２３とからなる。中間パネル２３は、２つの平行な長手方向の折り線２４、２５によって画定されており、保護ユニット２０はこれらの折り線２４、２５に沿って折り畳み可能である。さらに、保護ユニット２０はタブ２６を有し、このタブは折り線２７を経て第１の閉鎖パネル２１の一方の長手方向縁に連結している。
さらに、別体の支持ユニット３０が設けてあり、この支持ユニットは第１、第２のベース・パネル３１、３２を包含する。各ベース・パネルは、２つの平行な孔３３の列を有する。ベース・パネル３１、３２間には、２つの平行な長手方向の折り線３５、３６によって画定される連結パネル３４が形成してある。ベース・パネル３１、３２は、これら折り線に沿って互いに向かって折り込むことができる。
ブリスタ組立体１０は、ブリスタ１６が孔３３と整合し、その蓋フォイルが支持ユニット３０に対面するように支持ユニット３０に取り付けてある。
保護ユニットおよび支持ユニット２０、３０は、第２のベース・パネル３２と連結パネル３４の間の折り線３６が第１の閉鎖パネル２１の１つの縁と一致するように、相互連結してある。この目的のために、支持ユニット３０の連結パネル３４は保護ユニット２０上のタブ２６に固定してある。したがって、保護ユニット２０の折り線２４、２５、２７は、ブリスタ組立体１０の折り線１４、１５および支持ユニット３０の折り線３５、３６と平行である。
ブリスタ・パックの折り畳みは簡単である。パックを閉じる、すなわち、第１のベース・パネル３１を第２のベース・パネル３２の上に折り込み、最後に、第２の閉鎖パネル２２を第１のベース・パネル３１の上に折り込むという、たった２回の折り込み作業を行うだけでよい。図１ｅに示す折り畳み状態では、ブリスタ・パックは、ベース・パネル３１、３２に対して衝合し、孔３３を覆っている閉鎖パネル２１、２２によって保護されている。
好ましくは、中間パネル２３の幅は折り込んだ支持ユニット３０の厚みにほぼ対応し、そして、第１の閉鎖パネル２１は第２の閉鎖パネル２２とほぼ同じ寸法を有する。それによって、折り畳んだパッケージを矩形の平行六面体の形にする。ブリスタ・パックは、留め手段２８（たとえば、再閉鎖可能な接着テープ）によってその折り畳み状態に維持される。明らかに、折り畳んだブリスタ・パックは非常に安定していて、すべての長手方向辺で保護される。
折り畳んだブリスタ・パックの１つの長手方向側面にはタブ２６が形成してある。このタブは、支持ユニット３０によって安定化され、そこにブリスタ組立体１０が結合する。これは、ブリスタ・パックの、特に、剪断力に関する安定性を改良する。
支持ユニット３０がブリスタ組立体１０を安定させ、保護することにも注目されたい。ブリスタ部分１１、１２が偶発的に裂けてブリスタ組立体１０から分離するという危険はまったくない。
本発明のブリスタ・パックにおいて、説明書は、閉鎖パネル２１、２２上に印刷することもできるし、ブリスタ組立体１０に面している１つの閉鎖パネル側面に固定した別体のリーフレット上に印刷することもできる。したがって、薬剤には常に適切な使用説明書が伴うことになる。
図２ａ〜ｄにおいて、ここには第２の好ましい実施例が示してある。この第２実施例は、保護ユニット２０と一体に支持ユニット３０が形成されているという点で第１実施例と異なる。すべての実施例は同様のブリスタ組立体１０を使用しているので、それをさらに詳細にここで説明する必要はないと考える。すでに図１を参照しながら説明したユニット２０、３０もこれ以上説明する必要はないと考える。
第２のベース・パネル３２の１つの縁は折り線２８′を経て第１の閉鎖パネル２１のタブ２６′に連結している。タブ２６′は折り線２７′を経て第１の閉鎖パネル２１に連結している。明らかに、保護ユニット、支持ユニッ２０、３０のすべての折り線２４、２５、２７′、２８′、３５、３６は互いに平行である。
図２ｃから明らかなように、ブリスタ組立体１０は、ブリスタ１６が孔３３と整合し、ブリスタ組立体１０の蓋フォイルが支持ユニット３０に対面するように支持ユニット３０に接合される。
ブリスタ・パックは、図２ｃでわかるように左から右に折り畳まれる。すなわち、第１のパネル３１が第２のベース・パネル３２の上へ最初に折り込まれる。次に、これらの平行なパネル３１、３２を第１の閉鎖パネル２１の上へ折り込み、最後に、第２の閉鎖パネル２２の上へ折り重ねる。ブリスタ・パックの折り畳んだ状態において、第１の閉鎖パネル２１は第１のベース・パネル３１を覆い、第２の閉鎖パネル２２は第２のベース・パネル３２を覆い、孔３３を通してアクセスできる蓋フォイルの部分を保護することになる。
同じ利点を有することとは別に、第２の実施例は第１の実施例よりも容易に製造できる。別体の部分が２つだけであるからである。しかしながら、第２の実施例は複雑な折り畳み作業を必要とし、また、開いた状態でのブリスタ・パックの長さが大きいために使用者が扱いにくいかもしれない。
図３ａ〜ｂは、第３の実施例を示しており、この第３実施例は、支持ユニットが保護ユニット２０と一体に形成した１つのベース・パネル３１しか有しないという点で第２の実施例と異なる。ベース・パネル３１は、折り線２８′を経て第１の閉鎖パネル２１のタブ２６′に連結している。タブ２６′は、折り線２７′を経て第１の閉鎖パネル２１に連結している。
ブリスタ組立体１０の唯一のブリスタ部分１１は、ブリスタ１６が孔３３と整合し、蓋フォイルがベース・パネル３１に面するようにベース・パネル３１に接合される。
このブリスタ・パックを折り畳むのは容易である。パックを閉じる、すなわち、第２のブリスタ部分１２の上にベース・パネル３１を折り込み、最後に、ベース・パネル３１の上へ第２の閉鎖パネル２２を折り込むというたった２回の作業が必要なだけである。折り畳んだ状態で、ブリスタ・パックは孔３３を覆っている閉鎖パネル２１、２２によって保護され、したがって、その長手方向側面すべてについて保護される。
折り畳んだブリスタ・パックは、非常に安定しており、耐剪断性がある。これの１つの理由は、折り畳んだブリスタ・パックの１つの長手方向側面がタブ２６′によって形成されるということである。タブはそれに接合しているベース・パネル３１によって安定化される。ベース・パネル３１が折り畳んだパック内でブリスタ組立体１０と閉鎖パネル２２の間に置かれるので、折り畳み時にブリスタ・パックは安定した形態に封止される。この安定性は、保護ユニットおよび支持ユニット２０、３０における材料の使用を最小限に抑えながら達成される。
さらに、ベース・パネル３１が保護ユニット２０上のタブ２６′に接合されているので、ブリスタ・パックは使用説明書を印刷することができる大きい連続した領域を有する。したがって、薬剤には常に適切な使用説明書が付いてくることになる。
この第３の実施例では、分離を容易にするためにミシン目を設けてあってもよい折り線１５に沿って単に裂くことによってユーザが空になった第２のブリスタ部分１２をブリスタ・パックから取り外すことができる。
別の考えられる実施例としては、中間部分１３も中間パネル２６′に接合される。しかしながら、好ましい第３の実施例においては、中間部分１３は中間パネル２６′に接合されていない。ユーザが第２のブリスタ部分１２上のブリスタ１６、特に中間部分１３に隣接した列のブリスタ１６を操作するのに用いるスペースが多くなるので、ブリスタから薬剤を容易に取り出せるという付加的な利点を得ることができる。薬剤はユーザが一本の指でブリスタ１６の１つを押し、蓋フォイルを破ることによってブリスタ・パックから取り出すことができる。この好ましい実施例では、ブリスタに圧力を付加するときにより多くの動作自由度をユーザに与えることができる。したがって、ブリスタ部分１２をブリスタ・パックから偶発的に分離させるという危険は従来のブリスタ・パックよりも少ない。
この実施例は、また、カットアウト部３６′を有する。このカットアウト部は、ベース・パネル３１の角隅の１つに形成してあり、ブリスタ組立体１０の一部を覆っていない。この特徴によれば、ブリスタ組立体１０をカットアウト部３６′のところで把持しやすく、支持ユニット、保護ユニット２０、３０から容易に裂き離すことができるので、支持ユニット、保護ユニット２０、３０からブリスタ組立体１０を容易に分離することができる。使用する材料のリサイクルという観点から見て、これは魅力的な特徴である。この特徴は、本発明のすべての実施例にも組み込むことが可能である。
図示実施例すべてにおいて、折り線は互いに平行に配置してある。ブリスタ・パックの折り畳みが容易となるのでこの平行配置が好ましい。
明らかに、本発明のブリスタ・パックの第１、第２の実施例のブリスタ組立体は２つの別体のブリスタ部分から構成され、それらは任意の適当な方法、たとえば、支持ユニットに接着させるなどによって接合することができる。
さらに、ブリスタ組立体をいくつかのブリスタ部分で構成し、これらのブリスタ部分をブリスタのない中間部分によって相互連結し、これらのブリスタ部分を対として互いに折り込むことができることも了解されたい。また、ブリスタ・パックが１つ以上のブリスタ組立体を包含し、たとえば、各ブリスタ組立体の１つのブリスタ部分を保護ユニット上のそれぞれの支持ユニットに接合してもよい。
さらに、複合ブリスタ・パックを本発明による２つのブリスタ・パックから形成し、好ましくは、一方のブリスタ・パックの閉鎖パネルを他方のブリスタ・パックの閉鎖パネルに接合することができることにも注目されたい。図３の実施例を参照して、一方のブリスタ・パックの第１の閉鎖パネル２１は、ブリスタ組立体１０から反対側に向いた側で、別のブリスタ・パック上の対応する閉鎖パネル２１に接合してもよい。この複合ブリスタ・パックはそれに含まれる個々のブリスタ・パックと同じ利点を有する。
本発明によれば、ブリスタ組立体は、任意の適当な手段、たとえば、接着剤によって保護ユニットに固定してもよい。これは、また、ブリスタ組立体の支持ユニットへの取り付けならびに支持ユニットの保護ユニットへの取り付けにも適用する。
さらに、支持ユニットの孔の形状は、必ずしもブリスタの形状に対応していなくてもよく、ブリスタの前面で蓋フォイルを露出させる任意の形状を取ってよい。
好ましい実施例において、本発明のブリスタ・パックは、プロトン・ポンプ阻害剤、たとえば、オメプラゾールのような医薬上活性な薬剤に使用される。ブリスタ・パックは、少なくとも２つの異なった形状のセットのブリスタ（それぞれのセットが異なった薬剤を収容している）を有してよい。このタイプのブリスタ・パックは、１つのブリスタ・パックに、２つの薬剤、たとえば、組み合わせて投与すべきプロトン・ポンプ阻害剤と少なくとも１つの抗生物質、たとえば、オメプラゾールと抗生物質をパックするのに特に有用である。本発明の別の実施例では、薬剤の組合わせを含む錠剤をパックするのにブリスタ・パックを使用する。
広範な抗生物質が適当なプロトン・ポンプ阻害剤と組み合わせて使用できる。このような抗生物質としては、たとえば、ニトロイミダゾール抗生物質、テトラサイクリン、ペニシリン、セファロスポリン、カルボペネム、アミノグリコシド系、マクロライド抗生物質、リンコサミド抗生物質、４−キノロン、リファマイシンおよびニトロフラントインがある。以下にこのような抗生物質の例を挙げる：アンピシリン、アモキシシリン、ベンジルペニシリン、フェノキシメチルペニシリン、バカンピシリン、ピバンピシリン、カルベニシリン、クロキサシリン、シクラシリン、ジクロキサシリン、メチシリン、オキサシリン、ピペラシリン、チカルシリン、フルクロキサシリン、セフロキシム、セフェタメト、セフェトラム、セフィキシム、セフォキシチン、セフタジジム、セフチゾキシム、ラタモキセフ、セホペラゾン、セフトリアキソン、セフスロジン、セフォタキシム、セファレキシン、セファクロル、セファドロキシル、セファロチン、セファゾリン、セフポドキシム、セフブテン、アズトレオナム、チゲモオナム、エリスロマイシン、ジリスロマイシン、ロキシスロマイシン、アジスロマイシン、クラリスロマイシン、クリンダマイシン、ペルジマイシン、リンコマイシン、バンコマイシン、スペクチノマイシン、トブラマイシン、パロモマイシン、メトロニダゾール、チニダゾール、オルニダゾール、アミフロキサシン、シノキサシン、シプロフロキサシン、ジフロキサシン、エノキサシン、フレロキサシン、ノルフロキサシン、オフロキサシン、テマフロキサシン、ドキシサイクリン、ミノサイクリン、テトラサイクリン、クロルテトラサイクリン、オキシテトラサイクリン、メタサイクリン、ロリテトラサイクリン、ニトロフラントイン、ナリジキシ酸、ゲンタマイシン、リファンピシン、アミカシン、ネチルミシン、イミペネム、シラスタチン、クロラムフェニコール、フラゾリドン、ニフロキサジド、スルファジアジン、スルファメトキサゾール、亜サリチル酸ビスマス、コロイド状ビスマスサブシトレート、グラミシジン、メシリナム、クロキシキン、クロルヘキシジン、ジクロロベンジルアルコール、メチル−２−ペンチルフェノール。活性抗生物質は標準の形態であってもよいし、塩、水和物、エステルなどとして使用してもよい。上記の薬剤のうちの少なくとも２つの組合わせを使用できる。好ましい抗生物質としては、クラリスロマイシン、エリスロマイシン、ロキシスロマイシン、アジスロマイシン、アモキシシリン、メトロニダゾール、チニダゾールおよびテトラサイクリンがある。クラリスロマイシンとメトロニダゾールは、単独でも組み合わせても、特に適している。
支持ユニットを有する実施例のいずれかを製造する装置（図示せず）は、保護ユニットおよび支持ユニットを１つまたは２つの素材から製造し、そこに折り線を設ける装置（たとえば、抜打機）と、接着剤を支持ユニットに塗布する装置と、ブリスタ組立体を支持ユニットと整合させ、結合する装置と、折り線に沿ってブリスタ・パックを折る装置とを包含する。別体の支持ユニット、保護ユニットを備えるブリスタ・パックの場合、装置は、ブリスタ・パックを折り畳む前にこれらのユニットを結合する装置を包含していてもよい。
【図１ａ】
0003703101.tif 000002
【図１ｂ】
0003703101.tif 000003
【図１ｃ】
0003703101.tif 000004
【図１ｄ】
0003703101.tif 000005
【図１ｅ】
0003703101.tif 000006
【図２ａ】
0003703101.tif 000007
【図２ｂ】
0003703101.tif 000008
【図２ｃ】
0003703101.tif 000009
【図２ｄ】
0003703101.tif 000010
【図３ａ】
0003703101.tif 000011
【図３ｂ】
0003703101.tif 000012